(57)【要約】      （修正有）【課題】被り笠が万人の頭サイズにフィットするよう、調節可能にする五徳状装着具を提供する。【解決手段】笠とその内部に設けられた頭部を収納するために略円柱状や略円錐状に設けられた取付リング２Ａと調節リング２Ｂを繋いで支持する五徳状装着具２において、取付リング２Ａは、笠の裏面に装着支持可能な笠接触面を設けた取付リング２Ａを形成し、取付リング２Ａに複数の格子状に設けた支持体を配置して、その支持体の一端部には調節リング２Ｂを設けて、略円柱形状や略円錐形状に成形した五徳状装着具２を射出成形すると共に、調節リング２Ｂと取付リング２Ａを接続する支持体と支持体の間の少なくとも調節リング２Ｂには調節帯３を設け、調節帯３には切断部６を設けると共に、調節帯３に複数の突起４と、穴を一定間隔で配置して、複数の穴の位置を複数の突起４と係合させて、その係合位置を変更することで少なくとも取付リング２Ａの周長を調節可能とした。【選択図】図１
0003215334.tif 000002
【実用新案登録請求の範囲】
【請求項１】
笠とその内部に設けられた頭部を収納するために略円柱状や略円錐状に設けた取付リングと調節リングを繋いで支持する五徳状装着具において、
取付リングは、笠の裏面に装着支持可能な笠接触面を設けた取付リングを形成し、前記取付リングに複数の格子状に設けた支持体を配置して、その支持体の一端部には調節リングを設けて、略円柱形状や略円錐形状に成形した五徳状装着具を射出成形すると共に、前記調節リングと取付リングを接続する支持体と支持体の間の少なくとも調節リングには調節帯を設け、前記調節帯には切断部を設けると共に、調節帯に複数の突起と、穴を一定間隔で配置して、複数の穴の位置を前記複数の突起と係合させて、その係合位置を変更することで少なくとも取付リングの周長を調節可能とした。
【考案の詳細な説明】
【技術分野】
【０００１】
本考案は、たとえばお遍路で使用する笠の被り物に後付であごひもを装着して使用する装着装置であって、笠の内側に略円柱状や略円錐状に設けられた頭部を収める五徳状装着具を笠に後付で取付、笠をかぶる人の頭のサイズに応じて、簡単に頭部のサイズに対応した大きさに五徳状装着具のサイズを大きく、又は小さく装着具のサイズを変更することで、子供から大人に至る万人の頭部サイズに対応したフィット感がすっきりした五徳状装着具に関するものである。
【背景技術】
【０００２】
従来、お遍路で使用する笠の被り物は、笠の内側に籐やあけび等の蔓状の材料を乾燥し、リング状に設け、取付リングと調節リング（本考案の名称に合わせて使用）の二つのリングを籐やあけび等の蔓状の材料を乾燥した支持材で繋いで支持し、略円錐状又は略円柱状の五徳状装着具を形成し、そこに頭部を収め、五徳状装着具に取付たあごひも等によって、笠を頭部に固定することが一般的である。
【０００３】
しかし、笠に取り付けられた五徳状装着具は、平均的な成人の頭サイズに合わせたものしか流通しておらず、子供用の場合は特注で注文を入れ、子供用に供給するか、大人用の五徳状装着具にタオルなどで隙間を埋める等を施して使用していたが、子供用を特注すると、小ロットとなるためコストが上がり、大人用にタオルなどで隙間を埋めると、フィット感が無く、長時間歩く課程で笠がずり落ちる等の問題が生じる。
【０００４】
また、成人男性でも、頭が規格外に大きいと、五徳状装着具が頭に収まらない事や、リングの一部をカットして、強制的に頭部が収まるよう五徳を改造して使用すると、籐やあけび等の蔓状の材料を乾燥した物であるため材質が硬く、頭の一部に強く当たるなど事から、長時間かぶると当たる部分に痛みが発生する等の問題も生じていた。
【０００５】
そのため、五徳状装着具の内部にタオルを巻くなどしていたが、カットしたリング状の一部が元の形状に戻ろうとする力が、頭部の一部分に集中して当たり、その部分が長時間の使用によって、痛みや腫れを引き起こすことがあった。
【０００６】
更に、籐やあけび等の蔓状の材料を乾燥した物をリング状に成形した物は、完全な円とは程遠く、いびつな円をしており、頭の形にフィットするものではなく、更に人の頭部の形状も人それぞれの特徴的な形をしており、フィット感が元々良い物ではなかった。
【先行技術文献】
【特許文献】
【０００７】
類似する先行技術として、特開２０１３−２０４２１３には、ヘルメットの頭部サイズに合わせた、調節バンドの長さをラックとピニオンによって容易に調節バンドを頭部サイズに合わせる技術が開示されている。
【０００８】
また、実開平０７−４３６５１には、調節バンドの長さを上下２列に設けた複数の穴と、上下左右に設けた四つの突起を設け、それぞれの突起先端部には穴に係り止めされることで、調節バンドの長さを頭部のサイズに調節できるようにする技術が開示されている。
【０００９】
【特許文献１】：特開２０１３−２０４２１３
【特許文献２】：実開平０７−４３６５１
【考案の概要】
【考案が解決しようとする課題】
【００１０】
以上のように、従来の被り笠の五徳状装着具は籐やあけび等の蔓状の材料を乾燥した物をリング状に設け、万人の頭サイズにフィットするような物ではなく、頭のサイズより、五徳状装着具の形状が小さいと改造しないと頭に装着できないだけではなく、子供や女性のように大きくサイズが相違する場合でも被り笠の五徳状装着具が万人の頭サイズにフィットするよう、調節可能にすることを課題としている。
【００１１】
また、頭サイズにフィットさせることで、長時間の歩行時に笠がズリ落ちたり、五徳状装着具が頭に当たって、痛みを生じないようなフィット感が高い快適な五徳状装着具の提供を課題としている。
【課題を解決するための手段】
【００１２】
笠とその内部に設けられた頭部を収納するために略円柱状や略円錐状に設けられた取付リングと調節リングを繋いで支持する五徳状装着具において、
取付リングは、笠の裏面に装着支持可能な笠接触面を設けた取付リングを形成し、前記取付リングに複数の格子状に設けた支持体を配置して、その支持体の一端部には調節リングを設けて、略円柱形状や略円錐形状に成形した五徳状装着具を射出成形すると共に、前記調節リングと取付リングを接続する支持体と支持体の間の少なくとも調節リングには調節帯を設け、前記調節帯には切断部を設けると共に、調節帯に複数の突起と、穴を一定間隔で配置して、複数の穴の位置を前記複数の突起と係合させて、その係合位置を変更することで少なくとも取付リングの周長を調節可能とした。
【００１３】
また、前記調節帯に設けた複数の突起は切断部を挟んで両側に配置し、別部品として製造したＬＬサイズ調節帯に複数の穴を配置し、前記調節帯に設けた複数の突起に切断部を広げて、調節帯の複数の突起の位置を前記ＬＬサイズ調節帯の穴とを係合させて、その突起と穴の係合位置を変更することで取付リングの周長を調節可能とした。
【考案の効果】
【００１４】
本考案によれば、少なくとも調節リングの周長を調節可能としたことで、万人の頭のサイズに調節できるため、フィット感が高まり、長時間歩いたときでも、笠がズリ落ちることが無くなった。
【００１５】
更に、頭のサイズに合わせた五徳状装着具を使用するため、部分的に構造が当たって頭が痛くなったり、腫れるなど苦痛をなくす事ができると共に、射出成形によって、柔らかい材料で且つ、粘りのあるポリエチレンを使用すると更に、装着時の問題が解消される。
【考案を実施するための最良の形態】
【００１６】
図１は、お遍路笠に五徳状装着具を取付、小さめの頭サイズに合わせた五徳状装着具にあごひもを後付装着した斜視図である。
【００１７】
お遍路笠１は、笠の内部に五徳状装着具２を装着したもので、五徳状装着具２には取付リング２Ａと調節リング２Ｂを繋ぐ支持部２Ｃにより構成され、頭部を五徳状装着具２の略円柱状や略円錐状の構造体を笠に結束針金や結束帯等（図示省略）で装着する構造となっている。
【００１８】
五徳状装着具２の調節リング２Ｂの周方向には、リングサイズを調節可能な構造とした調節帯３と、その調節帯３には、突起４とその突起４に填め込む為の勘合穴５を設け、調節帯３にはリングサイズを調節するための切断部６を設けており、前記突起４は切断部６を挟んで、複数個、一定間隔で設けており、勘合穴も、前記切断部６の少なくとも一端側に前記突起４の間隔に合わせ、更に突起４と突起４の間に複数設けている。
【００１９】
更に、五徳状装着具２の頭部収納部に、取付リング２Ａと調節リング２Ｂを繋ぐ支持部２Ｃと支持部２Ｃの間の調節リング２Ｂには後付型あごひも７を取り付ける為の耳ひも８を取付、耳ひも８は、耳ひもの両端部に設けたボタンと穴や面ファスナーやスナップボタン（凹型と凸型のスナップ式のボタン）等によって取り付けており、あごひも７の両端部は耳ひも８の中央付近に、あごひも７の両端部に設けたボタンと穴や面ファスナー、又はスナップボタン（凹型と凸型のスナップ式のボタン）等によって取り付けられる。
【００２０】
あごひも７は、ひもの中央付近に、長さを調節するあごひも長さ調節部７Ａを備え、調節部７Ａは例えば、面ファスナー等によって長さを変えることができる。
【００２１】
図２は、五徳状装着具２の射出成形部品の斜視図であり、取付リング２Ａと調節リング２Ｂを繋ぐ支持部２Ｃにより構成され、取付リング２Ａには、取付面２Ａａと射出成形機から射出される樹脂を成形型に流し込むランナー９を設けており、取付面２Ａａは笠の裏面に接触させて結束針金や結束帯等で装着し、お遍路笠に装着する際は、ランナー９を鋏でカットして取付る。
【００２２】
このランナー９には付属部品も成形されており、付属部品１０Ａは、お遍路笠の山頂部が破損する事を防止する保護部品で、使用者が必要に応じてカットして使用するもで、付属部品１０Ａの裏面に棒１１を備え、お遍路笠の頂点部から棒１１を差し込んで、付属部品１０Ｂの穴１２に填め込んで、固定するようになっているが、本考案とは直接関係無い。
【００２３】
また、ランナー９の別の場所には、頭が大きい人の場合に使用するためのＬＬサイズ調節帯３Ａも一体成形されており、頭が大きい人が使用する時に切って使用する。
【００２４】
頭が大きい人が使用する時に切って使用するＬＬサイズ調節帯３Ａには、勘合穴５だけが設けられ、前記調節リング２Ｂに、一定間隔で設けられた突起４に填め合う為の勘合穴５を前記突起４の間隔に合わせて設けている。
【００２５】
この五徳状装着具２の射出成形部品に使用する樹脂は、比較的柔らかく、また、大きな力で変形や破損をしにくい特性の材料が適しており、たとえはポリプロピレン（ＰＰ）、ポリエチレン（ＰＥ）、ポリエチレンテレフタレート（ＰＥＴ）が材質的には適しているが、総合的にはポリエチレン（ＰＥ）が好ましい。                                                      
【００２６】
図３は、調節リング２Ｂに設けた調節帯３の断面図で、切断部６を挟んで左右の調節帯３にはそれぞれ、一定間隔の突起４が設けられており、右の調節帯３には、複数の勘合穴５と突起４が設けられ、左の調節帯３には、複数の突起４のみが設けられている。
【００２７】
頭のサイズが標準サイズの場合、図４に示すように、左の調節帯３を下にして右の調節帯３に設けられる勘合穴５を、左の調節帯３に設けた突起４の上に合わせ押し込むと、勘合穴５に突起４の先端が変形して穴に填る構造となっている。
【００２８】
また、右の調節帯３を左にスライドして勘合穴５を突起４に合わせれば、更に小さい頭サイズに適合するサイズに調節できるため、子供や女性であっても適したサイズで使用できる。
【００２９】
図５は、頭サイズが大きい人の場合に調整するもので、左右の調節帯３を広げ、更に、前記ランナー９に設けたＬＬサイズ調節帯３Ａを左右の調節帯３の突起４の上に合わせ填め込むことで頭サイズが大きい人に適合するサイズに調節することができる。
【００３０】
以上の様に本考案によれば、調節帯に設けた複数の突起と複数の勘合穴の填め合いの位置によって、少なくとも調節リングのサイズを変更調節することが可能となり、多くの頭サイズに適合させることが可能となった。
【００３１】
【図面の簡単な説明】
【００３２】
【図１】お遍路笠に五徳状装着具を装着した斜視図
【図２】五徳状装着具の射出成型品の斜視図
【図３】調節リングに設けた調節帯の断面図
【図４】調節リングに設けた調節帯の勘合断面図
【図５】調節帯とＬＬサイズ調節帯の勘合断面図
【符号の説明】
【００３３】
１.    お遍路用の笠
２.    五徳状装着具
２Ａ.  取付リング
２Ａａ.取付面
２Ｂ.  調節リング
２Ｃ.  支持部
３.    調節帯
３Ａ.  ＬＬサイズ調節帯
４.    突起
５.    勘合穴
６.    切断部
９.    ランナー
【図１】
0003215334.tif 000003
【図２】
0003215334.tif 000004
【図３】
0003215334.tif 000005
【図４】
0003215334.tif 000006
【図５】
0003215334.tif 000007
【手続補正書】
【提出日】平成29年12月27日(2017.12.27)
【手続補正１】
【補正対象書類名】実用新案登録請求の範囲
【補正対象項目名】全文
【補正方法】変更
【補正の内容】
【実用新案登録請求の範囲】
【請求項１】
笠とその内部に設けられた頭部を収納するために略円柱状や略円錐状に設けた取付リングと調節リングを繋いで支持する五徳状装着具において、
取付リングは、笠の裏面に装着支持可能な笠接触面を設けた取付リングを形成し、前記取付リングに複数の格子状に設けた支持体を配置して、その支持体の一端部には調節リングを設けて、略円柱形状や略円錐形状に成形した五徳状装着具を射出成形すると共に、前記調節リングと取付リングを接続する支持体と支持体の間の少なくとも調節リングには調節帯を設け、前記調節帯には切断部を設けると共に、調節帯に複数の突起と、穴を一定間隔で配置して、複数の穴の位置を前記複数の突起と係合させて、その係合位置を変更することで少なくとも取付リングの周長を調節可能とした事を特徴とする五徳状装着具。